【手続補正書】
【提出日】平成20年10月17日(2008.10.17)
【手続補正１】
【補正対象書類名】特許請求の範囲
【補正対象項目名】全文
【補正方法】変更
【補正の内容】
【特許請求の範囲】
【請求項１】
水性重合体分散液であって、
ａ）疎水化修飾されたポリ（アセタール−またはケタール−ポリエーテル）（HM-PAPE）、
ｂ）水、および
ｃ）ｉ）Ｃ９−１２炭化水素部分の成分を有するエトキシル化アルコール、
ｉｉ）エトキシル化アセチレンジオール、
ｉｉｉ）燐酸エステル、
ｉｖ）エトキシル化アルコールとアニオン性ジアルキルスルホスクシネートとの組み
み合わせ、および
ｖ）エトキシル化アルコールとアニオン性燐酸エステルとの組み合わせ
より成る群から選ばれる粘度降下剤
を含む上記の水性重合体分散液。
【請求項２】
HM-PAPEがＣ３−Ｃ３０アルキル疎水性部分を中に有する疎水化修飾されたポリ（アセタール−またはケタール−ポリエーテル）である、請求項１に記載の水性分散液。
【請求項３】
HM-PAPEがＣ１２−Ｃ１８アルキル疎水性部分を中に有する疎水化末端キャップ基付きポリ（アセタール−またはケタール−ポリエーテル）である、請求項１に記載の水性分散液。
【請求項４】
HM-PAPEがアルキルアリール疎水性部分を中に有する疎水化末端キャップ基付きポリ（アセタール−またはケタール−ポリエーテル）である請求項１に記載の水性分散液。
【請求項５】
HM-PAPEがメチルフェニル疎水性部分を房状で中に有する疎水化末端キャップ基付きポリ（アセタール−またはケタール−ポリエーテル）である、請求項１に記載の水性分散液。
【請求項６】
ブチルトリグリコールも存在する、請求項１に記載の水性分散液。
【請求項７】
請求項１に記載の分散液を含む水性保護塗料組成物。
【請求項８】
ラテックスをさらに含む、請求項３７に記載の水性保護塗料組成物。
【請求項９】
水性保護塗料が顔料をさらに含む、請求項３８に記載の水性保護塗料組成物。
【請求項１０】
請求項１に記載の水性分散液を、保護塗料配合物に、その配合物を同時に攪拌しながら加えることを含む、重合体の溶解時間がHM-PAPE単独の水中への添入に比較して有意に短縮されている、HM-PAPE重合体を保護塗料配合物の中に混和させる改善された方法。
【手続補正２】
【補正対象書類名】明細書
【補正対象項目名】００７７
【補正方法】変更
【補正の内容】
【００７７】
本発明を特定の態様に関して説明したが、本発明はそれらに限定されるべきではないこと、および本発明の精神および範囲から逸脱することなしに多くの変更および修正が可能であることが理解されるべきである。
［本発明の態様］
［１］
水性重合体分散液であって、
ａ）疎水化修飾されたポリ（アセタール−またはケタール−ポリエーテル）（HM-PAPE）、
ｂ）水、および
ｃ）ｉ）Ｃ９−１２炭化水素部分の成分を有するエトキシル化アルコール、
ｉｉ）エトキシル化アセチレンジオール、
ｉｉｉ）燐酸エステル、
ｉｖ）エトキシル化アルコールとアニオン性ジアルキルスルホスクシネートとの組み
み合わせ、および
ｖ）エトキシル化アルコールとアニオン性燐酸エステルとの組み合わせ
より成る群から選ばれる粘度降下剤
を含む上記の水性重合体分散液。
［２］
HM-PAPEが１００，０００の重量平均分子量（Ｍｗ）上限値を有する、１に記載の水性分散液。
［３］
HM-PAPEが５０，０００の重量平均分子量（Ｍｗ）上限値を有する、１に記載の水性分散液。
［４］
HM-PAPEが４０，０００の重量平均分子量（Ｍｗ）上限値を有する、１に記載の水性分散液。
［５］
HM-PAPEが３，０００の重量平均分子量（Ｍｗ）下限値を有する、１に記載の水性分散液。
［６］
HM-PAPEが４，０００の重量平均分子量（Ｍｗ）下限値を有する、１に記載の水性分散液。
［７］
HM-PAPEが８，０００の重量平均分子量（Ｍｗ）下限値を有する、１に記載の水性分散液。
［８］
HM-PAPEが疎水化末端キャップ基付きポリ（アセタール−またはケタール−ポリエーテル）である、１に記載の水性分散液。
［９］
HM-PAPEがペンダント疎水性部分のみならず末端キャップ基も中に有する疎水化末端キャップ基付きポリ（アセタール−またはケタール−ポリエーテル）である、１に記載の水性分散液。
［１０］
HM-PAPEがＣ３−Ｃ３０アルキル疎水性部分を中に有する疎水化修飾されたポリ（アセタール−またはケタール−ポリエーテル）である、１に記載の水性分散液。
［１１］
HM-PAPEがＣ１２−Ｃ１８アルキル疎水性部分を中に有する疎水化末端キャップ基付きポリ（アセタール−またはケタール−ポリエーテル）である、１に記載の水性分散液。
［１２］
HM-PAPEがアルキルアリール疎水性部分を中に有する疎水化末端キャップ基付きポリ（アセタール−またはケタール−ポリエーテル）である１に記載の水性分散液。
［１３］
HM-PAPEがメチルフェニル疎水性部分を房状で中に有する疎水化末端キャップ基付きポリ（アセタール−またはケタール−ポリエーテル）である、１に記載の水性分散液。
［１４］
HM-PAPEが４０重量％の上限量で存在する、１に記載の水性分散液。
［１５］
HM-PAPEが３０重量％の上限量で存在する、１に記載の水性分散液。
［１６］
HM-PAPEが２０重量％の上限量で存在する、１に記載の水性分散液。
［１７］
HM-PAPEが１０重量％の下限量で存在する、１に記載の水性分散液。
［１８］
HM-PAPEが１５重量％の下限量で存在する、１に記載の水性分散液。
［１９］
粘度降下化学薬品が３０重量％の上限量で存在する、１に記載の水性分散液。
［２０］
粘度降下化学薬品が２０重量％の上限量で存在する、１に記載の水性分散液。
［２１］
粘度降下化学薬品が１０重量％の上限量で存在する、１に記載の水性分散液。
［２２］
粘度降下化学薬品が０．５重量％の下限量で存在する、１に記載の水性分散液。
［２３］
粘度降下化学薬品が１．０重量％の下限量で存在する、１に記載の水性分散液。
［２４］
粘度降下化学薬品が３．０重量％の下限量で存在する、１に記載の水性分散液。
［２５］
水が８５重量％の上限量で存在する、１に記載の水性分散液。
［２６］
水が７５重量％の上限量で存在する、１に記載の水性分散液。
［２７］
水が６５重量％の上限量で存在する、１に記載の水性分散液。
［２８］
水が３０重量％の下限量で存在する、１に記載の水性分散液。
［２９］
水が４０重量％の下限量で存在する、１に記載の水性分散液。
［３０］
水が５０重量％の下限量で存在する、１に記載の水性分散液。
［３１］
粘度降下剤がエトキシル化２，４，７，９−テトラメチル−５−デシン−４，７−ジオール（Surfynol（登録商標）465製品）である、１に記載の水性分散液。
［３２］
粘度降下剤が燐酸エステル（Strodex（登録商標）LFK-70製品）である、１に記載の水性分散液。
［３３］
粘度降下化学薬品がアルコールエトキシレート（Ｃ１０−(ＥＯ)６（Iconol（登録商標）DA-6製品）である、１に記載の水性分散液。
［３４］
粘度降下化学薬品がテトラエチレングリコールモノブチルエーテル（Ecosoft（登録商標）PBまたはEPB製品）である、１に記載の水性分散液。
［３５］
粘度降下化学薬品がＣ9-11−(ＥＯ)６（Rhodasurf（登録商標）91-6）である、１に記載の水性分散液。
［３６］
ブチルトリグリコールも存在する、１に記載の水性分散液。
［３７］
１に記載の分散液を含む水性保護塗料組成物。
［３８］
ラテックスをさらに含む、３７に記載の水性保護塗料組成物。
［３９］
ラテックスが１００％アクリル樹脂、ビニル−アクリル樹脂およびスチレン−アクリル樹脂の群から選ばれる、３８に記載の水性保護塗料組成物。
［４０］
水性保護塗料が顔料をさらに含む、３８に記載の水性保護塗料組成物。
［４１］
顔料が水和酸化アルミニウム、硫酸バリウム、珪酸カルシウム、クレー、シリカ、タルク、二酸化チタン、酸化亜鉛およびそれらの混合物より成る群から選ばれる、４０に記載の水性保護塗料組成物。
［４２］
水性保護塗料が８５％の顔料体積濃度（PVC）上限値を有する、４０に記載の水性保護塗料組成物。
［４３］
水性保護塗料が７５％の顔料体積濃度（PVC）上限値を有する、４０に記載の水性保護塗料組成物。
［４４］
水性保護塗料が６５％の顔料体積濃度（PVC）上限値を有する、４０に記載の水性保護塗料組成物。
［４５］
水性保護塗料が１０％の顔料体積濃度（PVC）下限値を有する、４０に記載の水性保護塗料組成物。
［４６］
水性保護塗料が２０％の顔料体積濃度（PVC）下限値を有する、４０に記載の水性保護塗料組成物。
［４７］
１に記載の水性分散液を、保護塗料配合物に、その配合物を同時に攪拌しながら加えることを含む、重合体の溶解時間がHM-PAPE単独の水中への添入に比較して有意に短縮されている、HM-PAPE重合体を保護塗料配合物の中に混和させる改善された方法。
［４８］
重合体溶解時間が３０％短縮される、４７に記載の改善された方法。
［４９］
重合体溶解時間が５０％短縮される、４７に記載の改善された方法。